(57)【要約】【課題】リミッタ回路が出力電流（突入電流）を制御して電流変化の割合を制限し、上流ドライバモジュールを保護する。【解決手段】リミッタ回路が入力と出力を有する電圧レールを含み、この入力は印加入力電圧を受ける。切替装置は、電圧レールと電気的に連通し、電圧レールの出力を流れる電流を選択的に制御する。リミッタコンデンサは、電圧レールの入力及び切替装置と電気的に連通し、入力と電気接地との間で、切替装置と並列接続で電気的に連通する。第１の抵抗器は、リミッタコンデンサと電気接地との間に配置され、抵抗器のインピーダンスとリミッタコンデンサにより、リミッタコンデンサを充電するための時定数が定義される。このリミッタコンデンサの時定数により、切替装置に印加される電圧と、電圧レールの出力を流れる電流が制御される。【選択図】図１
2012105274.tif 000002
【特許請求の範囲】
【請求項１】
入力及び出力を有する電圧レールであって、前記入力は印加入力電圧を受ける、電圧レールと、
前記電圧レールと電気的に連通し、前記電圧レールの前記出力を通って流れる電流を選択的に制御する切替装置と、
前記電圧レールの前記入力及び前記切替装置と電気的に連通するリミッタコンデンサであって、前記リミッタコンデンサと前記切替装置は、前記入力と電気接地との間で、並列接続で電気的に連通する、リミッタコンデンサと、
前記リミッタコンデンサと前記電気接地との間に配置される第１の抵抗器であって、前記第１の抵抗器のインピーダンス及び前記リミッタコンデンサにより、前記リミッタコンデンサを充電するための時定数を定義し、前記リミッタコンデンサの前記時定数により、前記切替装置に印加される電圧と、前記電圧レールの前記出力を通って流れる電流を制御する、第１の抵抗器と、
を備える、リミッタ回路。
【請求項２】
前記切替装置が電界効果トランジスタである、請求項１に記載のリミッタ回路。
【請求項３】
電流を選択的に受けるために前記電圧レールの前記出力と電気的に連通する負荷を更に備える、請求項１に記載のリミッタ回路。
【請求項４】
前記負荷は、前記電圧レールの前記出力と電気的に連通した入力コンデンサを含み、前記出力から電流を選択的に受けて、前記入力コンデンサを充電する、請求項３に記載のリミッタ回路。
【請求項５】
前記負荷の誘導部品と電気的に連通し、前記誘導部品の磁場が消滅するまで、前記負荷の前記誘導部品に電流を流すことを可能にするフライバック経路を提供するダイオードを更に備える、請求項３に記載のリミッタ回路。
【請求項６】
前記電圧レールの前記入力及び前記電気接地と電気的に連通する第２の抵抗器を更に備え、前記第２の抵抗器は、前記リミッタコンデンサと並列接続で電気的に連通して、前記リミッタコンデンサを選択的に放電する、請求項１に記載のリミッタ回路。
【請求項７】
前記電圧レールの前記入力及び前記電気接地と電気的に連通するツェナーダイオードを更に備え、前記ツェナーダイオードは、前記リミッタコンデンサと並列接続で電気的に連通して、前記リミッタコンデンサの両端間の電圧を選択的に固定する、請求項１に記載のリミッタ回路。
【請求項８】
印加入力電圧を受ける入力と、
ゲート、前記入力と電気的に連通するソース、及びドレインを有するトランジスタと、
前記入力及び前記トランジスタの前記ゲートと電気的に連通するリミッタコンデンサであって、前記コンデンサと前記トランジスタは、前記入力と電気接地との間で、並列接続で電気的に連通する、リミッタコンデンサと、
前記コンデンサと前記電気接地との間に配置される第１の抵抗器であって、前記抵抗器のインピーダンスと前記コンデンサにより、前記コンデンサの充電と放電を行うための時定数を定義し、前記コンデンサの前記時定数により、前記トランジスタの前記ゲートに印加される電圧と、前記トランジスタの前記ソースと前記トランジスタの前記ドレインとの間を流れる電流を制御する、第１の抵抗器と、
前記トランジスタの前記ドレインと電気的に連通して、そこから電流を受ける入力コンデンサを有するドライバモジュールと、
を備える、電気回路。
【請求項９】
前記トランジスタは、電界効果トランジスタである、請求項８に記載の電気回路。
【請求項１０】
前記ドライバモジュールは、前記コンデンサと電気的に連通する誘導部品を更に備える、請求項８に記載の電気回路。
【請求項１１】
前記ドライバモジュールの前記誘導部品と電気的に連通し、前記誘導部品の磁場が消滅するまで、前記ドライバモジュールの前記誘導部品に電流を流すことを可能にするフライバック経路を提供するダイオードを更に備える、請求項８に記載の電気回路。
【請求項１２】
前記入力及び前記電気接地と電気的に連通する第２の抵抗器を更に備え、前記第２の抵抗器は、前記リミッタコンデンサと並列接続で電気的に連通して、前記リミッタコンデンサを選択的に放電する、請求項８に記載の電気回路。
【請求項１３】
前記リミッタコンデンサと並列接続で電気的に連通して、前記リミッタコンデンサの両端間の電圧を選択的に固定するツェナーダイオードを更に備える、請求項８に記載の電気回路。
【請求項１４】
電流を制限するための方法であって、
リミッタ回路を提供するステップを有し、リミッタ回路は、
入力及び出力を有する電圧レールと、
前記電圧レールと電気的に連通し、前記電圧レールの前記出力を通って流れる電流を選択的に制御する切替装置と、
前記電圧レールの前記入力及び前記切替装置と電気的に連通するリミッタコンデンサであって、前記リミッタコンデンサと前記切替装置は、前記入力と電気接地との間で、並列接続で電気的に連通する、リミッタコンデンサと、
前記リミッタコンデンサと前記電気接地との間に配置される第１の抵抗器であって、前記抵抗器のインピーダンスと前記リミッタコンデンサにより、前記リミッタコンデンサを充電するための時定数を定義する、第１の抵抗器と、
を備え、
前記電圧レールの前記入力に電圧を印加するステップを有し、前記時定数に基づいて前記リミッタコンデンサが充電され、前記リミッタコンデンサの両端間の電圧が上昇し、前記コンデンサの両端間の電圧が前記切替装置に印加され、前記電圧レールの前記出力を通って流れる電流を制御する、方法。
【請求項１５】
前記切替装置が電界効果トランジスタである、請求項１４に記載の方法。
【請求項１６】
電流を選択的に受けるために、前記電圧レールの前記出力と電気的に連通する負荷を提供するステップを更に備える、請求項１４に記載の方法。
【請求項１７】
前記負荷は、入力コンデンサであって、前記電圧レールの前記出力と電気的に連通して、前記入力コンデンサの充電のために前記出力から電流を選択的に受ける、入力コンデンサを含む、請求項１６に記載の方法。
【請求項１８】
前記負荷の誘導部品と電気的に連通して、前記誘導部品の磁場が消滅するまで、前記負荷の前記誘導部品に電流を流すことを可能にするフライバック経路を提供するダイオードを更に備える、請求項１６に記載の方法。
【請求項１９】
前記リミッタ回路は、前記電圧レールの前記入力及び前記電気接地と電気的に連通する第２の抵抗器を更に備え、前記第２の抵抗器は、前記リミッタコンデンサと並列接続で電気的に連通して、前記リミッタコンデンサを選択的に放電する、請求項１４に記載の方法。
【請求項２０】
前記リミッタ回路は、前記電圧レールの前記入力及び前記電気接地と電気的に連通するツェナーダイオードを更に備え、前期ツェナーダイオードは、前記リミッタコンデンサと並列接続で電気的に連通して、前記リミッタコンデンサの両端間の電圧を選択的に固定する、請求項１４に記載の方法。
【発明の詳細な説明】
【技術分野】
【０００１】
本発明は、電気回路に関する。より具体的には、本発明は、ドライバモジュール用の突入電流リミッタ回路、及び突入電流を制限する方法に関する。
【背景技術】
【０００２】
発光ダイオードを制御するためのドライバモジュール回路は、通常、入力コンデンサを含む。入力コンデンサは、突入電流と呼ばれる充電電流を必要とし、この電流は、ドライバモジュールの定常状態の動作電流を超える。そのため、入力コンデンサの充電に必要な突入電流により、上流ドライバモジュールが損傷を受ける可能性がある。
【０００３】
リミッタ回路は出力電流（つまり、突入電流）を制御して電流変化の割合を制限し、上流ドライバモジュールを保護する為に電流変化の速度を限定して、ドライバモジュール用の費用効果の高いリミッタ回路を有することが望ましい。
【発明の概要】
【発明が解決しようとする課題】
【０００４】
リミッタ回路が出力電流（つまり、突入電流）を制御して電流変化の割合を制限し、上流ドライバモジュールを保護する、本発明に一致する、ドライバモジュールのための費用効果の高いリミッタ回路が驚くべきことに見出された。
【課題を解決するための手段】
【０００５】
１つの実施形態において、リミッタ回路は、入力及び出力を有する電圧レールであって、入力は印加入力電圧を受ける、電圧レールと、この電圧レールと電気的に連通し、電圧レールの出力を通って流れる電流を選択的に制御する切替装置と、電圧レールの入力及び切替装置と電気的に連通するリミッタコンデンサであって、リミッタコンデンサと切替装置は、入力と電気接地との間で、並列接続で電気的に連通する、リミッタコンデンサと、リミッタコンデンサと電気接地との間に配置される第１の抵抗器であって、第１の抵抗器のインピーダンスとリミッタコンデンサにより、リミッタコンデンサを充電するための時定数を定義し、このリミッタコンデンサの時定数により、切替装置に印加される電圧と、電圧レールの出力を通って流れる電流を制御する、第１の抵抗器と、を含む。
【０００６】
別の実施形態において、電気回路は、印加入力電圧を受けるための入力と、ゲート、入力と電気的に連通するソース、ドレインを有するトランジスタと、入力及びトランジスタのゲートと電気的に連通するリミッタコンデンサであって、コンデンサとトランジスタは、入力と電気接地との間で、並列接続で電気的に連通する、リミッタコンデンサと、このコンデンサと電気接地との間に配置される第１の抵抗器であって、第１の抵抗器のインピーダンスとコンデンサにより、コンデンサの充電と放電を行うための時定数を定義し、このコンデンサの時定数により、トランジスタのゲートに印加される電圧と、トランジスタのソースとドレインとの間を流れる電流を制御する、第１のコンデンサと、トランジスタのドレインと電気的に連通して、そこから電流を受ける入力コンデンサを有するドライバモジュールと、を含む。
【０００７】
本発明は、電流を制限するための各種の方法も含む。
【０００８】
１つの方法は、リミッタ回路を提供するステップを有し、リミッタ回路は、入力及び出力を有する電圧レールと、電圧レールと電気的に連通し、電圧レールの出力を通って流れる電流を選択的に制御する切替装置と、電圧レールの入力及び切替装置と電気的に連通するリミッタコンデンサであって、リミッタコンデンサと切替装置は入力と電気接地との間で並列接続で電気的に連通するリミッタコンデンサと、リミッタコンデンサと電気接地との間に配置される第１の抵抗器であって、第１の抵抗器のインピーダンスとリミッタコンデンサによりリミッタコンデンサを充電するための時定数を定義する第１の抵抗器と、を備え、電圧レールの入力に電圧を印加するステップを有し、時定数に基づいてリミッタコンデンサが充電され、リミッタコンデンサの両端間の電圧が上昇し、コンデンサの両端間の電圧が切替装置に印加されて、電圧レールの出力を通って流れる電流を制御する。
【０００９】
当業者は、以下に記述する好適な実施形態の詳細な説明を添付の各図面を考慮しながら参照することにより、上記の記述と本発明の他の利点について容易に理解できるであろう。
【図面の簡単な説明】
【００１０】
【図１】本発明の一実施形態による電気回路の概略図である。
【図２】図１に示した電気回路のリミッタ回路の概略図である。
【図３】本発明の一実施形態による、図１に示した電気回路を使用する方法の概略的な流れ図である。
【図４】図１に示した電気回路の動作を表す、電圧の波形と電流の波形のグラフプロットである。
【図５】本発明の別の実施形態による、図１に示した電気回路を使用する方法の概略的な流れ図である。
【発明を実施するための形態】
【００１１】
これ以降の詳細な説明と付属の各図面により、本発明の各種実施形態について説明及び図示する。この説明と各図面により、当業者は本発明を作成して使用できるようになる。この説明と各図面は、いかなる形においても、本発明の範囲を限定するものではない。ここで開示する方法に関して、提示するステップは、基本的に例示的なものであり、各ステップの順序に必ずしも従う必要はなく、また重要なものでもない。
【００１２】
図１は、本発明の一実施形態による電気システム１０を示している。この図に示すように、電気システム１０は、負荷１４と電気的に連通する電力供給１２と、電力供給１２と負荷１４との間に電気的に配置された突入電流リミッタ回路１６を含む。ただし、電気システム１０には、要求要望に応じて追加のコンポーネントを含めることができることを理解されたい。さらに、電気システム１０は、要求要望に応じて他のコンポーネント、システム、負荷、及び電源と連通できることも理解されたい。
【００１３】
例えば、電力供給１２は、通常、バッテリーなどの電気エネルギーの直流（ＤＣ）源である。ただし、他の電気エネルギー源も使用できることを理解されたい。さらに、所定の電圧を負荷１４全体にわたって供給するように電力供給１２を構成できることも理解されたい。当業者によって理解されるように、特定の実施形態では、電力供給１２はスイッチド出力１７を含む。非限定的な例として、電力供給１２のスイッチド出力１７は、「オン」の状態、「オフ−０．０Ｖ」の状態、及び「オフ−開回路」の状態という３つの状態に切り替えることができる。ただし、任意の数の状態を含むことができる。
【００１４】
通常、負荷１４は、ドライバモジュール（ＬＥＤドライブモジュール（ＬＤＭ）など）１８を含み、ドライバモジュール１８は、少なくとも１つの入力コンデンサ２０と、少なくとも１つの誘導部品２１を有する。非限定的な例として、ドライバモジュール１８は発光ダイオードなどの光源２２と電気的に連通し、光源２２の選択的な照明を制御する。ただし、任意の光源を制御するよう、ドライバモジュール１８を構成できることを理解されたい。さらに、負荷１４は、電力供給１２によって電気的に励起されるように構成された任意の装置、コンポーネント、またはシステムにすることができることも理解されたい。
【００１５】
リミッタ回路１６は、電力供給１２及び負荷１４と電気的に連通し、また、リミッタ回路１６は、電力供給１２からの印加電圧を受け、電流を調整して負荷１４に伝達するように構成される。
【００１６】
図２でより明確に示しているように、リミッタ回路１６は、電力供給１２と電気的に連通する入力２４と、電圧レール２８及び電気接地３０を入力２４と共有する出力２６と、入力２４及び出力２６と電気的に連通し、電圧レール２８を通って流れる電流を制御する切替装置３２と、切替装置３２と電気的に連通し、切替装置３２の切替状態を制御するリミッタコンデンサ３４と、リミッタコンデンサ３４と電気接地３０との間に配置される第１の抵抗器３６と、を含む。ただし、リミッタ回路１６は、要望に応じて他のコンポーネントやシステムを含むことができることを理解されたい。さらに、リミッタ回路１６は、要望に応じて他の回路、システム、及びコンポーネントと電気的に連通できることも理解されたい。
【００１７】
入力２４は電力供給１２と電気的に連通し、電力供給１２から印加電圧を受ける。入力２４は、任意の電気エネルギー源と電気的に連通できること理解されたい。さらに、入力２４は、任意の保護回路などを含むことができることも理解されたい。
【００１８】
出力２６は、負荷１４に電気的に連結され、電流を負荷１４に伝達する。示すように、出力２６は入力２４と電気的に連通し、切替装置３２は入力２４と出力２６との間に配置され、入力２４と出力２６との間の電流を制御する。要望に応じて、追加のコンポーネントを出力２６と電気的に連通させることができることを理解されたい。ある実施形態において、共有の電圧レール２８と電気接地３０により、出力２６は入力２４と電気的に連通し、負荷１４は出力２６と電気的に連結され、電力供給１２から電流を受ける。ただし、他の電気的な構成も使用することができる。たとえば、入力２４と出力２６は、電気接地３０への独立した接続を有することができる。
【００１９】
切替装置３２は、通常、電界効果トランジスタである。トランジスタの当業者によって理解されるように、示す実施形態において、切替装置３２は、ゲート、ソース及びドレインを有するＭＯＳＦＥＴ（Metal Oxide Semiconductor Field Effect Transistor）である。ただし、要望に応じて他のトランジスタまたはスイッチを使用して、リミッタ回路１６内の電流の流れを調整できることを理解されたい。示す実施形態において、切替装置３２のソースは入力２４と電気的に連通し、ドレインは、リミッタ回路１６の出力２６と電気的に連通する。切替装置３２のゲートは、リミッタコンデンサ３４と電気的に連通し、リミッタコンデンサ３４と切替装置３２は、入力２４と電気接地３０との間で並列接続で電気的に連通する。非限定的な例として、当業者によって理解されるように、切替装置３２はカットオフ電圧を有する。切替装置３２のゲート（Ｖgs）に印加された電圧がカットオフ電圧を超える時、切替装置３２が「オン」の状態になり、切替装置３２のソースからドレインへと電流が流れ始めることを理解されたい。さらに、任意の所定のカットオフ電圧を有する任意の切替装置を使用できることも理解されたい。
【００２０】
第１の抵抗器３６は、リミッタコンデンサ３４と電気接地３０との間に配置され、第１の抵抗器３６のインピーダンスとリミッタコンデンサ３４により、リミッタコンデンサ３４を充電するための時定数が定義される。したがって、リミッタコンデンサ３４の時定数により、切替装置３２のゲート（Ｖgs）に印加される電圧が制御され、その結果、切替装置３２のソースとドレインとの間を流れる電流が制御される。
【００２１】
ある実施形態において、リミッタ回路１６は、リミッタコンデンサ３４と並列接続の電気的構成で配置された第２の抵抗器３８を含む。非限定的な例として、第２の抵抗器３８は、電圧レール２８と電気接地３０との間で電気的に連結され、電力供給１２から電圧レール２８に対して電圧が印加されていない場合に、リミッタコンデンサ３４を放電するための制御手段を提供する。
【００２２】
ある実施形態において、リミッタ回路１６は、電圧レール２８と電気接地３０との間で電気的に連結されたダイオード４０を含む。非限定的な例として、ダイオード４０は、ドライバモジュール１８の入力コンデンサ２０と並列接続の電気的構成とされる。さらなる非限定的な例として、ダイオード４０は、ドライバモジュール１８の誘導部品２１と電気的に連通し、誘導部品２１の磁場が消滅するまでドライバモジュール１８の誘導部品２１に電流を流すことを可能にする「フライバック」経路を提供する。
【００２３】
ある実施形態において、リミッタ回路１６は、電圧レール２８と電気接地３０との間で電気的に連結されたツェナーダイオード４２を含む。当業者によって理解されるように、非限定的な例として、ツェナーダイオード４２は、リミッタコンデンサ３４と並列接続の電気的構成とされ、リミッタコンデンサ３４の両端間の電圧を選択的に固定する。
【００２４】
図３は、本発明の実施形態による電気システム１０を使用した方法１００を示している。ステップ１０２において、電力供給１２は、電気接地３０に対して約０．０Ｖdc（Ｖbat＝０．０Ｖdc）の値に電圧レールを保つ。ある実施形態において、電力供給１２のスイッチド出力１７を、「オフ−開回路」の状態（つまり、高インピーダンス状態）に切り替えることができる。これにより、リミッタコンデンサ３４は放電状態になり、切替装置３２は「オフ」になる。
【００２５】
ステップ１０４において、電力供給１２は電気接地３０に対し、電圧レール２８全体にわたって電圧を印加する（たとえば、Ｖbatが０．０Ｖから「オン」の状態に切り替わる）。ある実施形態において、電力供給１２のスイッチド出力１７を、「オフ−開回路」の状態から「オン」の状態に切り替えることができる。これにより、ステップ１０６に示すように、リミッタコンデンサ３４が、第１の抵抗器３６から電気接地３０を経由して充電される。リミッタコンデンサ３４の充電速度において、リミッタコンデンサ３４の時定数が重要な要因になることを理解されたい。
【００２６】
リミッタコンデンサ３４が充電されると、ステップ１０８に示すように、切替装置３２のゲート（Ｖgs）全体にわたって電圧が上昇する。
【００２７】
ステップ１１０では、切替装置３２のゲート（Ｖgs）における電圧が上昇を続け、切替装置３２のカットオフ電圧を超えて切替装置が完全な「オン」の状態（つまり、飽和状態）になるまで、ソースからドレインに流れる電流が増加する。
【００２８】
切替装置３２のドレインから出力２６に電流が流れ始めると、負荷１４がこの電流を受け始める。非限定的な例として、電流が出力２６からドライバモジュール１８に流れ、入力コンデンサ２０の充電が開始される。ドライバモジュール１８の入力コンデンサ２０への電流の流れは、切替装置３２の制御された「ターンオン曲線」によって制限されることを理解されたい。さらに、ドライバモジュール１８の入力コンデンサ２０の制御された充電により、突入電流が適切なレベル（充電速度など）に調整されることも理解されたい。
【００２９】
ステップ１１２では、切替装置３２が完全な「オン」の状態になると、切替装置３２のゲート（Ｖgs）に印加された電圧が、更にツェナーダイオード４２の両端間に印加される。その結果、ツェナーダイオード４２がオンに切り替わり、切替装置３２のゲート（Ｖgs）におけるこれ以上の電圧の上昇が制限され（例えば、固定される）、これにより、切替装置３２が過電圧の状態になることを防ぐ。
【００３０】
ステップ１１４では、ドライバモジュール１８の入力コンデンサ２０が完全に充電され、切替装置３２が完全にオンになる。出力２６からドライバモジュール１８へ流れる電流は、切替装置３２のオン抵抗（Ｒds）によって制限されることを理解されたい。
【００３１】
具体的な例として、図４は、リミッタ回路１６のリミッタコンデンサ３４両端間の計測した電圧の波形２０２（ボルト／時間）と、リミッタ回路１６の出力２６で計測した突入電流の波形２０４（アンペア／時間）を示すグラフプロットである。この図で示すように、リミッタコンデンサ３４の時定数に基づいて、リミッタコンデンサ３４が充電され、電圧が上昇している。リミッタコンデンサ３４両端間の電圧が上昇すると、切替装置３４のゲート（Ｖgs）における電圧が上昇する。それに伴い、リミッタコンデンサ３４の時定数に基づいて、出力２６における電流（突入電流など）が制御される。波形２０２及び２０４は、リミッタ回路１６を使用した突入電流の調整を図示するためのもので、リミッタ回路１６のコンポーネントを、同様の波形を発生する値に限定するものと解釈すべきではないことを理解されたい。さらに、本発明によるリミッタ回路１６によって他の波形が発生する可能性があることも理解されたい。
【００３２】
図５は、本発明の実施形態による電気システム１０を使用する方法３００を示している。最初に、電力供給１２は電気接地３０に対し、電圧レール２８全体にわたって電圧を印加する（つまり、Ｖbatがオン／高電圧）。ステップ３０２では、リミッタコンデンサ３４が充電状態になり、切替装置３２が完全な「オン」の状態（つまり、飽和状態）になる。
【００３３】
ステップ３０４では、電力供給によって電圧レール２８に印加された電圧が、実質的にゼロに設定される（つまり、Ｖbatが低電圧（オフ）の状態になる）。ある実施形態では、電力供給１２のスイッチド出力１７が「オフ−開回路」の状態に切り替わる場合がある。これにより、ステップ３０６に示すように、第１の抵抗器３６と第２の抵抗器３８の少なくともいずれかを一つ含む経路を介して、リミッタコンデンサ３４が放電を開始する。
【００３４】
ステップ３０８では、リミッタコンデンサが放電されると、切替装置３２のゲート（Ｖgs）に印加された電圧が、切替装置３２のカットオフ電圧に向って降下する。
【００３５】
ステップ３１０では、切替装置３２のゲート（Ｖgs）における電圧が、切替装置３２のカットオフ電圧を下回り、切替装置３２がオフになる。切替装置３２がオフになると、切替装置のドレインから出力２６を経由してドライバモジュール１８に電流が流れることはなくなることを理解されたい。さらに、第２の抵抗器３８がリミッタコンデンサ１６用の電流経路を提供し、切替装置３２がオフになった後も放電が継続されることを理解されたい。
【００３６】
ステップ３１２では、ドライバモジュール１８の入力コンデンサ２０が放電され、ドライバモジュール１８がオフになる。
【００３７】
ステップ３１４では、誘導部品２１の循環電流によって生成された磁場が消滅するまで、ドライバモジュール１８の誘導部品２１に電流を流すことを可能にする「フライバック」経路を、ダイオード４０が提供する。
【００３８】
本発明のリミッタ回路１６は、負荷１４に伝達される電流（突入電流など）を制御するように構成される。具体的には、突入電流が上流ドライバモジュール３２の設計限界を超えることがないよう、リミッタ回路１６を使用して、最初の「電源オン」手順において、ドライバモジュール１８の入力コンデンサ２０を選択的に充電することができる。
【００３９】
これまでの説明により、当業者は、本発明の本質的な特性を容易に理解できるであろう。また、本発明の精神と範囲から逸脱することなく、さまざまな変更及び修正を本発明に対して行い、さまざまな用途と条件に適応させることができる。
【符号の説明】
【００４０】
１０  電気システム
１２  電極供給
１４  負荷
１８  ドライバモジュール
２０  入力コンデンサ
２１  誘導部品
２２  光源
２４  入力
２６  出力
２８  電圧レール
３０  電気接地
３２  切替装置
３４  リミッタコンデンサ
３６  第１の抵抗器
３８  第２の抵抗器
４０  ダイオード
４２  ツェナーダイオード
【図１】
2012105274.tif 000003
【図２】
2012105274.tif 000004
【図３】
2012105274.tif 000005
【図４】
2012105274.tif 000006
【図５】
2012105274.tif 000007